(57)【特許請求の範囲】
【請求項１】
前身頃と後身頃と、前記前身頃と前記後身頃とを結ぶ紐を備えた袴であって、前記前身頃の腰回り部位の裏側に腰回りに沿う帯状の前板を設け、
前記後身頃の上部には、後板が設けられ、前記後板は背中を押さえる背板と、前記背板から前記後身頃の内側の下方に伸びて前記前板と対向する背板延長部とからなり、
前記前板、及び前記後板は芯材を内蔵することを特徴とする袴。
【請求項２】
前身頃と後身頃と、前記前身頃と前記後身頃とを結ぶ紐を備えた袴であって、前記前身頃の腰回り部位に腰回りに沿う帯状の前板を設け、
前記後身頃の上部には、後板が設けられ、前記後板は背中を押さえる背板と、前記背板から下方に伸びて前記前板と対向する背板延長部とからなり、
前記背板延長部に外見上の帯の代替となる帯紐を設け、前記帯紐を袴の下に締める帯として見せることを特徴とした袴。
【請求項３】
前記紐は、前記前板に取り付けられる前紐と、前記後板に取り付けられる後紐とを備え、前記前紐は前記後板に連結され、前記後紐は前記前板に連結される請求項１または２に記載の袴。
【請求項４】
前記前身頃の上部両端に前記紐を挿通するループを設けた請求項１〜３の何れか１項に記載の袴。
【請求項５】
前記前紐に設けられた第１留め具と、前記後板に設けられ前記第１留め具と連結される第２留め具とを備えた請求項３に記載の袴。
【請求項６】
前記背板延長部に帯の結び目が挿入される窓を設けたことを特徴とした請求項１〜５の何れか１項に記載の袴。
【発明の詳細な説明】
【技術分野】
【０００１】
本発明は日常的な実用性を高める袴式和服に関する。
【背景技術】
【０００２】
従前の袴式和服には、その袴において、胴を一回りして背中心で結べる長さの前紐を上下に２本設け、その下部前紐は袴前身頃の両側部分に縫い付けることで、着用時の前紐部分の作業を簡略化したものがある（例えば、特許文献１参照。）。
以下、従前の袴式和服の着用方法の説明をすると、まず袴の装着以前に、着物あるいは胴着を着用した上で、帯を締める必要がある。その後、上下２本の前紐を設けた袴において、袴前身頃の最上部に縫い付けられた上部の前紐にて胴を一巻きして背中心で結び、袴前身頃両端部分でのみ袴に縫い付けられた下方の前紐（下部前紐）も同様に背中で結ぶ。この時、上下２本の前紐が、およそ帯と同程度の幅となるように間隔を空けた形状となっている。次に、袴の背板に付属したズレを防ぐ袴留めの箆を帯の内側に差し込み、袴の後身頃の腰板を帯の結び目の上に乗せる。さらに、袴前身頃両側部分でのみ縫い付けられた下部前紐の縫い付け箇所の間の略中央まで、背板に縫い付けられた後紐の左右を引き寄せ、その下部前紐に絡めて結び留める。最後に、結んだ後紐の余り（残りの長さ）を始末して完成となる。
【先行技術文献】
【特許文献】
【０００３】
【特許文献１】特開２００６-１９３８７７
【発明の概要】
【発明が解決しようとする課題】
【０００４】
まず、以上に述べた従前の袴式和服を着用するには、着物（あるいは胴着）、帯、袴を必要とすることは絶対条件であった。日常的な高頻度の着用を想定すると、着用に必要な品目数を、現在の３点より減らすことが、解決したい課題となっている。
【０００５】
また、従前の袴式和服では、袴の着用時の特殊な手間や習熟の要するコツを軽減し、着崩れを防ぐことには成功しているが、袴全体には３本（左右に計６本）の紐があり、それらを結ぶ３回の手順が必要となる。さらに、２本の前紐に関しては、背中で結ぶことになるので、慣れが必要である。つまり、紐を結ぶ手順の変則性と手数の多さは、解決したい課題である。
【０００６】
そして、本来 袴には腰を締め固め、背骨をしっかり支えることで、自然と背筋を伸ばし姿勢をよくする効用がある。それゆえ、上記２点の課題を解決し 着用手順の簡易化を図った上で、なお、袴本来の効用は保持させることが出来なければ、見せかけだけの袴となってしまう。そこで、背筋を伸ばし姿勢を良くする効用を保持させることも、解決したい課題の１つと言える。
【０００７】
本発明は、袴式和服を日常生活において高頻度で着用してもらうため、着用手順の軽減・簡易化と着崩れ防止を図って実用性を高めること、及び 背筋を伸ばし姿勢を改善する効用と快適な着用感をもたらすことを目的とするものである。
【課題を解決するための手段】
【０００８】
そこで、本発明では上記目的を達成するため、前身頃と後身頃を備えた袴の腰回りの帯を締める部位において、腰回りに沿う帯状の前板を設けた。
【０００９】
本発明により、前板が袴前身頃の折れや反り返りを防いでくれるため、前板が これまでの帯としての機能を発揮する。
【００１０】
次に、袴の後身頃には、その上部に設けられる背板と、上記の前板と対向する位置まで背板から下方に伸ばした背板延長部とで構成される後板を設けた。
【００１１】
第２の課題解決手段による作用は、大きい後板によって、従前の袴で見られた背板のズレ、及び 後ろ姿全体の着崩れが防止されることである。
【００１２】
そして、前述した前板と後板とは、紐で連結させることにより、袴の下に締める帯の機能を有する。
【００１３】
以上の課題解決手段によって、前板と後板は身体を前後から挟み込み、腰回りの広い範囲を締め固める作用をするのである。
【００１４】
前記の紐は、前記前板に取り付けられる前紐と、前記後板に取り付けられる後紐とを備え、前記前紐は前記後板に連結され、前記後紐は前記前板に連結される。
【００１５】
この第３の課題解決手段での後紐や前紐によって、前板を備えた袴前身頃は、後板の背板部分や背板延長部へと連結される。つまり、従前までは帯で締めていた位置において、前板と後板を上下２段階で堅固に連結させる作用がある。
【００１６】
さらに、第４の課題解決手段として、前記前身頃の上部両端に前記後紐を挿通するループを設けた。
【００１７】
袴前身頃において、前紐の連結では前板を備えた範囲の下部だけが固定され、上部は固定されない。しかし、後紐を前で結び留める前段階で、上記のループに挿通することにより、袴前身頃の上部両端が後紐によって押さえられる。つまり、このループと後紐とにより、前板が完全に固定されるのである。これが、第４の課題解決手段による作用となる。
【００１８】
そして、前記前紐に設けられた第１留め具と、前記後板に設けられ前記第１留め具と連結される第２留め具とを備えた。
【００１９】
この第５の課題解決手段による作用は、従前の袴では前紐を背中で結んでいたことに対し、留め具による連結に変えたことによって、前紐による連結作業が簡易化されたことである。
【００２０】
加えて、前記背板延長部に外見上の帯の代替となる帯紐を設け、前記帯紐を袴の下に締める帯として見せることを特徴とした。
【００２１】
前述の通り、本発明では 第１から第５までの課題解決手段を複合することで、帯を省略しても袴本来の効用は変わらない。しかし、従前の袴式和服で両脇の上下２本の紐の間から少しだけ見えていた帯は外見上失われる。それを補うため、後板の背板延長部外側（袴後身頃の内側に隠れる部分）に帯紐（幅の広い紐）を取り付け、それを前に回し結ぶと、帯の外見上の代替となる。これが、上記第６の課題解決手段による作用である。
【００２２】
続いて、前記背板延長部に前記帯の結び目が挿入される窓を設けた。ただし、この際には上記の帯紐（外見上の帯の代替となる幅の広い紐）は、取り付けない。
【００２３】
従来、袴を着用する際には、袴の下に帯を締め、その結び目を背中に設ける。本発明に係る袴においては、帯の結び目が設けられる位置に後板の背板延長部が存在するので、その結び目によって後板は腰回りに沿わない。そこで、後板の背板延長部に、帯の結び目を通せる程度の窓を設け、帯を締めた上での袴の着装にも対応させた。これが、第７の課題解決手段による作用である。（ただし、この際には前記第６の課題解決手段による帯紐の機能は不要となる。）
【発明の効果】
【００２４】
上述した様に本発明の袴式和服では、袴の腰回りの帯を締める位置に相当する部位において、その前身頃には帯状の腰回りに沿う前板を新設したので、帯を使用した時の帯の前側の機能を持たせることができる。また袴後身頃では、その上部に設けられる背板を、前板と対向する部分にまで下方へと拡張させ、この背板部分と背板延長部の双方によって構成される大きさの後板を設けたので、帯の後側の機能を持たせることができる。
さらに、この前板と後板とを、紐で連結させることにより、身体の前後から挟み込むことで腰回りの広い範囲を締め固めることができるので、この前板と後板を紐で連結することで、袴の下に締める帯の機能を持たせることができる。その結果、帯を用いずとも、着崩れしない安定した着姿を提供できるのである。
以上の課題解決手段の複合により、着用上絶対必要な品目から帯を除外させるという効果が得られた。
【００２５】
また 前記の紐は、前で結び留めるために後板の背板部分に設けた後紐と、後板の背板延長部と連結させるために袴前身頃の前板を備えた部位に設けた前紐とで構成される。着装する際には、後紐を前で結び留める訳だが、その前段階において、前板を備えた前身頃（表側）の上部両端に設けたループに後紐を挿通させる。これにより、袴前身頃の上部は腰回りに固定される。従前の袴では上部前紐により袴前身頃の上部を固定していたが、このループを設けることで上部前紐が不要となるので、従前の袴における上部前紐、及び それを結ぶ手順を省くことに成功した。前紐を１本に減らす効果を得たのである。
【００２６】
次に、上記の前紐には第１留め具、後板には第２留め具を設け、それらにより前紐と後板が連結させる。留め具による連結に変えたことで、従前の袴での背面で前紐を結ぶ作業が簡易化され、手間の軽減と着用時間の短縮という効果が得られた。
【００２７】
さらに、前記のループや留め具によって、着装における紐の運び方が明確になった。加えて、後紐と前紐は従来の帯を締めていた位置で帯幅程度の高さを違えた上下２段階堅固に固定される。つまり、前述の前板、後板のみならず、紐により両脇においても、袴のみで帯の機能を得られるのだ。この、手順の明確化と堅固な着装感も効果として付け加えておきたい。
【００２８】
続いて、前記後板には、帯紐（幅の広い紐）を取り付け、帯を用いずに着装する本発明の袴における外見上の帯の代替とした。加えて、この帯紐を結ぶことにより袴下の着物（あるいは胴着）と袴の後身頃を同時に固定し安定させることが出来るので、着装手順が単純化される効果も得られた。
【００２９】
最後に、前記背板延長部に帯の結び目を挿入できる程度の窓を設け、帯を使用した場合での着装にも対応した。（ただし、この際には前記帯紐の機能は不要）この後板に設けた窓によって、従前の袴に起こり易かった背板のズレは、ほぼ解消される。また、従前の袴にはズレを防ぐために必要であった袴留めの箆も必要無くなった。何より、帯を用いても、用いずとも着用することが可能になるので、着こなしの様式が広がることが、この課題解決手段による最大の効果と言える。
【００３０】
前述の通り、前板と後板、紐とループなどがもたらす効果により、本発明の袴は、腰を締め固め 背骨をしっかり支える。よって、自然と背筋を伸ばし姿勢をよくする袴本来の効用は、本発明の袴においても有効である。
そして、帯や上部前紐の省略、留め具による連結などにより、着付けでの変則性の解消と手順の軽減を果たした。総じて、袴本来の効用を保持させたまま、着用手順の簡易化に成功したと言える。
【図面の簡単な説明】
【００３１】
【図１】本発明の実施形態を示す袴式和服の前面着用図(A)と袴部分後面着用図(B)
【図２】同実施形態を示す袴の斜視図
【図３】同実施形態の袴の前身頃正面図
【図４】同実施形態の袴の前身頃を外側から見た部分拡大図
【図５】同実施形態の袴の前身頃を内側から見た部分拡大図
【図６】同実施形態の袴の後身頃背面図
【図７】同実施形態の袴の後身頃を外側から見た部分拡大図
【図８】同実施形態の袴の後身頃を内側から見た部分拡大図
【図９】他の実施形態の袴の背面を外側から見た後板部分拡大図
【図１０】他の実施形態の袴の背面を内側から見た後板部分拡大図
【図１１】本発明の実施形態を示す袴の背面斜視図
【図１２】同実施形態の袴の前面斜視図
【発明を実施するための形態】
【００３２】
以下、本発明の実施の形態を図１〜図１２に基づいて説明する。
【００３３】
まず、袴式和服には、袴、着物（あるいは胴着）、帯の３品目が、従前までは必要であったが、本発明により、帯を使用せずに着装することが可能となった。ここからは、本発明で形態を変えた袴について示していく。
【００３４】
従来の袴は、前身頃と後身頃、前身頃上部に取り付けられた前紐と後身頃上部に付けられた背板、その背板に取り付けられた後紐の５つの主要なパーツから成る（他には ズレ防止の袴留めの箆など）。対して、本発明の袴では、前身頃と後身頃、前身頃には前板と前紐とを備え、後身頃には背板を拡張させた後板と後紐とを備えた６つの主要なパーツで構成される。他に前紐と後板を連結させる留め具や、後板に取り付けられる帯紐を付属する。
図２は本発明の袴全体の形状を斜視的に表しており、図３は本発明の袴の前身頃の全体を、図６は本発明の袴の後身頃の全体を表している。
【００３５】
本発明の袴式和服を着用した様子を表している図１において、１Ａは袴の前身頃、１Ｂは袴の後身頃、２は着物（あるいは胴着）である。
【００３６】
以下に、本発明の袴の各部について説明する。各図において、前板を３の符号で表記する。図５の斜線（一部 斜め破線）で示した部分が前板３である。図３では、斜め破線で示す部位に前板３を内蔵する。袴前身頃の正面の腰回り部分を拡大した図４においては、前板３は外側から見えないので、前板に関する表記をしていないが、図３にて斜め破線で示した部分に相当する部位には前板３を内蔵する。具体的な実施例としては、袴前身頃の腰回り部位（従来の帯を締めていた位置）において、腰回りに沿う芯を内蔵させた前板３を、前身頃の内側（裏）に取り付けた。この際、前板３に内蔵する芯材として、厚さ１ｍｍ以内程の合成樹脂製のシート等のコシがあるが湾曲する弾性を有する部材が適する。
【００３７】
各図において、４は前紐である。前紐４は、胴を一巻きできる程度の長さの紐で、袴前身頃の裏に取り付けられた前板３の下方と重なる位置で、袴前身頃の表側から縫い付ける。つまり、袴前身頃の上端から従来の帯幅程度下がった位置に、袴前身頃や前板３と重ねて取り付けるのだ。ただし、前紐４は袴前身頃の表側両端の笹ひだ部分８Ａ、８Ｂにのみ縫い付ける。図４において、前紐４を縫い付ける２箇所５Ａ、５Ｂ（図の破線四角形はミシンによる縫い目・ステッチを表す）の間の前紐５C（破線で表した部分）は、袴前身頃から浮かせると共に、その内部には芯を入れた。この芯が内蔵され、袴前身頃から浮かせた部分は、着用する際に後紐１１を結び留めるための結び代となる。そして、ここに用いる芯材は、前記前板３の芯材と同等の弾性を有しながら、より薄い部材が好ましい。
【００３８】
前記の前紐４には、左右の前紐上を可動する第１留め具６Ａ、６Ｂを それぞれに設ける。これは、後板１１に設けた第２留め具１０Ａ、１０Ｂとの連結により前紐４と後板（９Ａと９Ｂを合わせた部分）を繋ぐためのものである。その部材については、第２留め具１０Ａ、１０Ｂの説明とともに後述する。
【００３９】
袴前身頃の上部の左右両端の笹ひだ８Ａ、８Ｂ上には、左右の上端から左右の前紐の縫い付け箇所５Ａ、５Ｂまでの各上下間に、後紐１１を挿通するために、左右のループ７Ａ、７Ｂを設けた。これは、袴の身頃と同素材の生地を用いて、笹ひだ８Ａ、８Ｂの流れに沿わせて設けると、すっきりとしたデザインにすることができる。
【００４０】
上でも触れた通り、各図において、背板部分を９Ａ、背板延長部を９Ｂの符号で表記し、これらを合わせた大きさに拡張させたものを後板としている。詳細を述べると、袴後身頃において、従前の袴では後身頃上部に取り付けられた背板のみ存在していたが、本発明の袴では、これまでの背板と同等の背板部分９Aを、後身頃の内側の帯を締める位置に相当する部分（腰椎のある辺り）にまで下方に伸ばして、前板と対向させた背板延長部9Bを設ける。図６においては、斜め破線で示す位置の袴後身頃内部に背板延長部9Bが存在する。後板（９Ａと９Ｂを合わせた部分）は、背面、及び後側の腰回りへ適度に沿う芯を内蔵させ、背板部分９Ａと背板延長部９Ｂとの境界線でのみ袴後身頃と縫い付ける。これにより、背板延長部９Ｂは袴後身頃の内側（中）に隠れ、袴後身頃とは離れている状態を保つことになる。この際、後板（９Ａと９Ｂを合わせた部分）に内蔵する芯材として、身体に沿わないほどに硬過ぎたり、容易に折れ曲がってしまうほど柔らか過ぎたりせぬように、適度なバランスで剛性と弾性とを有した素材を用いる。厚さ１ｍｍ程度の合成樹脂製のシート等の部材が適する。
【００４１】
後板（９Ａと９Ｂを合わせた部分）には、前紐４に設けた第１留め具６Ａ、６Ｂと連結するために、第２留め具１０Ａ、１０Ｂを左右に設ける。この第１と 第２の留め具としては、ワンタッチで連結され、前紐４の長さの調整ができる部材が好ましい。具体的には、金属製や樹脂製のスライドバックル、角カンやＤカンとフックとの組み合わせ等が適すると考えられる。
【００４２】
各図において、１１は後紐である。後紐１１は、従来の袴と同様に、背板部分９Ａの下方の左右に取り付けられ、従来の袴と同様に、左右を前に回して結び留めても余る程度に充分な長さの紐とする。
【００４３】
また背板延長部９Ｂの左右には、各図で１２と示す帯紐（幅の広い紐）を取り付ける。これは、帯を用いずに着装する本発明の袴の脇部分における外見上の帯の代替であり、袴下の着物（あるいは胴着）２と袴の後身頃1Bを着用時に一時的に固定（仮留め）する機能を持たせているので、袴の身頃とは別素材の柔らかな生地を用いることが望ましい。外見上の帯の代替も果たすことから、色柄のある生地を用いれば、より意匠的である。さらに、前で結ぶので、脇に見える部分までを広い幅として、結ぶ部分は細く仕立てておくと扱い易い。
【００４４】
続いて、図９と図１０は、帯を使用して着装する場合に対応する後板（９Ａと９Ｂを合わせた部分）の別形態を示している。図において、１３が示す実線、及び破線は、背板延長部の中央に帯の結び目を通す程度の窓を表している。後板（９Ａと９Ｂを合わせた部分）の芯材に切り込みを効果的に加えることで、芯材は着装時に、より身体に沿った形へと変形し、身体に馴染む着け心地が得られる。中でも、背板延長部９Ｂの中央に帯の結び目が通る程度の窓１３が設けられた後板（９Ａと９Ｂを合わせた部分）の形態は、帯を締めた上で袴を着装することにも対応できる特徴的な後板の型である。ただし、この際には後板（９Ａと９Ｂを合わせた部分）に帯紐１２が不要となる。帯の使用、不使用に関わらず着装できるようにするためには、帯紐１２を着脱可能にすることで解消できる。
【００４５】
最後に、着物（あるいは胴着）２についての補足を加えたい。
本発明によって、帯を使用しないで着用することが可能となった。着物（あるいは胴着）２を着用する段階で、着物２の両脇と左右の衿先付近に、着物の前開きを閉じるための紐を設けることで、より簡易性が増すことを捕足しておく。（例、作務衣上着の左右の紐）
【００４６】
以下、本発明の袴式和服における袴の着用手順の一例を説明する。
【００４７】
まず、着物（あるいは胴着）２を着た状態で、本発明の袴に足を通す（下半身をいれる）。後板（９Ａと９Ｂを合わせた部分）を背面・腰の中央に置き、腰回りの位置に合わせて、左右の帯紐１２を前に回して結ぶ。
【００４８】
次に、袴前身頃を身体の中央に置き 前板３を腰回りに沿わせて、前紐４の第１留め具６Ａ、６Ｂと、後板の背板延長部９Ｂにある第２留め具１０Ａ、１０Ｂとを連結させる。この際、前紐４が緩みが無く締まるように、前紐の長さ調整を行う。
【００４９】
続いて、後板（９Ａと９Ｂを合わせた部分）が背に沿うように背板部分９Ａの左右の後紐１１を、腰回りの左右から前に回して、袴前身頃の上部両端にある左右のループ７Ａ、７Ｂへ後紐１１の左右をそれぞれに挿通させる。さらに、袴前身頃の前紐の縫い付け箇所５Ａ、５Ｂの間５Cの略中央へ向け後紐１１の左右を引き寄せ、その位置（５Cの中央）で、前紐４に絡めて結び留める。最後に、結んだ後紐の余り（残りの長さ）を始末して、着装が完了する。
【００５０】
前紐４の第１留め具６Ａ、６Ｂと、後板（９Ａと９Ｂを合わせた部分）の背板延長部９Ｂの第２留め具１０Ａ、１０Ｂによる連結の手順については、図１１に図解した。
後紐１１を前身頃のループ７Ａ、７Ｂに挿通して、前身頃と連結させる手順については、図１２に図解した。
従前までの袴は前身頃から着装を始めたのに対し、本発明の袴は後身頃から着装に入ることが特徴である。
着用手順が簡易化され明確になったので、着用に要する時間も短縮され、実用性を高めることに成功したと言える。
【符号の説明】
【００５１】
１Ａ                  袴前身頃
１Ｂ                  袴後身頃
２                    着物（あるいは胴着）
３                    前板
４                    前紐
５Ａ，５Ｂ             前紐の縫い付け箇所
５C                  前紐の縫い付け箇所の間の後紐を結び留めるための結び代
６Ａ，６Ｂ             第１留め具
７Ａ，７Ｂ             後紐を挿通するためのループ
８Ａ，８Ｂ             笹ひだ
９Ａ                  後板の背板部分
９Ｂ                  後板の背板延長部
１０Ａ，１０Ｂ          第２留め具
１１                   後紐
１２                   帯紐
１３                   帯の結び目が挿入される窓
【要約】
【課題】従来の袴式和服は、着用に袴・着物・帯など複数の品目を必要とし、それぞれ特殊な着付け手順を要するので、日常的に着用するのに適しているとは言い難い。本発明では、着用上の必要品目と複雑な手順を軽減して簡易性を高めた袴式和服の提供を課題とする。
【解決手段】本発明の袴式和服は、袴において、腰回りに対応する部位に帯状の腰回りに沿う前板と、それに対向する後板とを、前身頃と後身頃とに設け、それらを紐で連結することで、袴の下に締める帯の機能を兼用させた。
【選択図】図２【図１】
0006916431.tif 000002
【図２】
0006916431.tif 000003
【図３】
0006916431.tif 000004
【図４】
0006916431.tif 000005
【図５】
0006916431.tif 000006
【図６】
0006916431.tif 000007
【図７】
0006916431.tif 000008
【図８】
0006916431.tif 000009
【図９】
0006916431.tif 000010
【図１０】
0006916431.tif 000011
【図１１】
0006916431.tif 000012
【図１２】
0006916431.tif 000013